【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
作動時に約３０００ケルビン〜約４５００ケルビンの相関色温度を示す、色品質尺度が向上したランプであって、
作動時に光放射を行なう少なくとも１つの発光素子を含み、
前記ランプは作動時に、
ＣＱＳの少なくとも２つの色見本が、
ＶＳ１に対して−５〜２、
ＶＳ２に対して−２〜５、
ＶＳ３に対して−５〜０、
のパラメータ内にあり、
ＣＱＳの少なくとも１つの色見本が、
ＶＳ４に対して−２．５〜８、
ＶＳ５に対して−２〜１５、
のパラメータ内にあり、
ＣＱＳの少なくとも２つの色見本が、
ＶＳ６に対して０〜２１、
ＶＳ７に対して３〜２２、
ＶＳ８に対して２〜７、
のパラメータ内にあり、
ＣＱＳの少なくとも２つの色見本が、
ＶＳ９に対して−６〜５．５、
ＶＳ１０に対して−４〜５、
ＶＳ１１に対して−４〜２、
のパラメータ内にあり、
ＣＱＳの少なくとも１つの色見本が、
ＶＳ１２に対して−０．５〜５、
ＶＳ１３に対して１〜１２、
のパラメータ内にあり、
ＣＱＳの少なくとも１つの色見本が、
ＶＳ１４に対して−７〜４、
ＶＳ１５に対して−７〜７、
のパラメータ内にあるような彩度差値を有する合計発光を伴う光を発生させ、
前記彩度差値はＣＩＥＬＡＢ空間において測定され、ただしランプは白熱発光素子を含まず、
前記ランプは、ＯＬＥＤおよびＬＥＤのうちの１または複数によって選択的に補足された、低圧水銀蒸気放電ランプであり、
前記少なくとも１つの発光素子は、蛍光体である、ランプ。
【請求項２】
２つ以上の発光素子の組み合わせであって、ピーク発光が約５９０〜約６７０ｎｍの範囲である赤色発光素子、ピーク発光が約５００〜約５７０ｎｍの範囲である第１の緑色発光素子、およびピーク発光が約４３０〜約４９０ｎｍの範囲である青色発光素子を含む組み合わせを含み、
単一の発光素子は１または複数の色を発する場合があり、
任意的に、琥珀色発光素子および青緑色発光素子の少なくとも一方をさらに含む請求項１に記載のランプ。
【請求項３】
前記赤色発光素子、前記第１の緑色発光素子、および前記青色発光素子に対するピーク発光はそれぞれ半値幅が約１〜約１００ｎｍである請求項２に記載のランプ。
【請求項４】
前記組み合わせは、前記第１の緑色発光素子とは異なる第２の緑色発光素子であって、ピーク発光が約５３０〜約５６０ｎｍの範囲であり、半値幅が約１〜約２０ｎｍである第２の緑色発光素子をさらに含む請求項２に記載のランプ。
【請求項５】
前記赤色発光素子は、
Ｙ２Ｏ３：Ｅｕ；３．５ＭｇＯ＊０．５ＭｇＦ２＊ＧｅＯ２：Ｍｎ４＋；Ｇｄ（Ｚｎ，Ｍｇ）Ｂ５Ｏ１０：Ｃｅ，Ｍｎ；（Ｓｒ，Ｍｇ）３（ＰＯ４）２：Ｓｎ２＋；およびＹ（Ｖ，Ｐ）Ｏ４：Ｅｕからなる群から選択される蛍光体を含む請求項２に記載のランプ。
【請求項６】
前記第１の緑色発光素子は、
（Ｂａ，Ｓｒ，Ｃａ）ＭｇＡｌ１０Ｏ１７：Ｅｕ２＋，Ｍｎ２＋；ＬａＰＯ４：Ｃｅ，Ｔｂ；Ｚｎ２ＳｉＯ４：Ｍｎ；（Ｃｅ，Ｔｂ）ＭｇＡｌ１１Ｏ１９；（Ｃｅ，Ｔｂ）（Ｍｇ，Ｍｎ）Ａｌ１１Ｏ１９；（Ｃｅ，Ｌａ）（Ｍｇ，Ｍｎ）Ａｌ１１Ｏ１９；およびＳｒＡｌ１２Ｏ１９：Ｍｎ２＋からなる群から選択される蛍光体を含む請求項２に記載のランプ。
【請求項７】
前記青色発光素子は、
（Ｂａ，Ｓｒ，Ｃａ）ＭｇＡｌ１０Ｏ１７：Ｅｕ２＋；（Ｓｒ，Ｂａ，Ｃａ，Ｍｇ）５（ＰＯ４）３Ｃｌ：Ｅｕ２＋；およびＳｒ４Ａｌ１４Ｏ２５：Ｅｕ２＋からなる群から選択される蛍光体を含む請求項２に記載のランプ。
【請求項８】
前記ランプは、蛍光ランプ、高輝度放電ランプ、およびそれらの組み合わせからなる群から選択される請求項１に記載のランプ。
【請求項９】
前記ランプは、光透過性エンベロープと前記エンベロープの内部に封止された充填ガスとを含む蛍光ランプであり、前記発光素子の少なくとも１つは蛍光体である請求項８に記載のランプ。
【請求項１０】
前記ランプは作動時に、
ＣＱＳの少なくとも２つの色見本が、
ＶＳ１に対して−５〜２、
ＶＳ２に対して−２〜５、
ＶＳ３に対して−４〜−１、
のパラメータ内にあり、
ＣＱＳの少なくとも１つの色見本が、
ＶＳ４に対して−２．５〜６、
ＶＳ５に対して−２〜１３、
のパラメータ内にあり、
ＣＱＳの少なくとも２つの色見本が、
ＶＳ６に対して１〜２０、
ＶＳ７に対して３〜２１、
ＶＳ８に対して２〜７、
のパラメータ内にあり、
ＣＱＳの少なくとも２つの色見本が、
ＶＳ９に対して−６〜５、
ＶＳ１０に対して−４〜４、
ＶＳ１１に対して−４〜２、
のパラメータ内にあり、
ＣＱＳの少なくとも１つの色見本が、
ＶＳ１２に対して０〜４、
ＶＳ１３に対して２〜１０、
のパラメータ内にあり、
ＣＱＳの少なくとも１つの色見本が、
ＶＳ１４に対して−６〜２、
ＶＳ１５に対して−７〜６、
のパラメータ内にあるような彩度差値を有する合計発光を伴う光を発生させる請求項１に記載のランプ。
【請求項１１】
作動時に約４５００ケルビン〜約７５００ケルビンの相関色温度を示し、色品質尺度が向上したランプであって、
作動時に光放射を行なう少なくとも１つの発光素子を含み、
前記ランプは作動時に、
ＣＱＳの少なくとも２つの色見本が、
ＶＳ１に対して−５〜２、
ＶＳ２に対して−２〜４、
ＶＳ３に対して−５〜３、
のパラメータ内にあり、
ＣＱＳの少なくとも１つの色見本が、
ＶＳ４に対して−２〜５、
ＶＳ５に対して−２〜１５、
のパラメータ内にあり、
ＣＱＳの少なくとも２つの色見本が、
ＶＳ６に対して０〜２０、
ＶＳ７に対して１〜２２、
ＶＳ８に対して２〜８、
のパラメータ内にあり、
ＣＱＳの少なくとも２つの色見本が、
ＶＳ９に対して−５．５〜５．５、
ＶＳ１０に対して−５〜４、
ＶＳ１１に対して−４〜１、
のパラメータ内にあり、
ＣＱＳの少なくとも１つの色見本が、
ＶＳ１２に対して−１．５〜６、
ＶＳ１３に対して０．５〜１２、
のパラメータ内にあり、
ＣＱＳの少なくとも１つの色見本が、
ＶＳ１４に対して−５〜６、
ＶＳ１５に対して−５．５〜５、
のパラメータ内にあるような彩度差値を有する合計発光を伴う光を発生させ、
前記彩度差値はＣＩＥＬＡＢ空間において測定され、ただしランプは白熱発光素子を含まず、
前記ランプは、ＯＬＥＤおよびＬＥＤのうちの１または複数によって選択的に補足された、低圧水銀蒸気放電ランプであり、
前記少なくとも１つの発光素子は、蛍光体である、ランプ。
【請求項１２】
２つ以上の発光素子の組み合わせであって、ピーク発光が約５９０〜約６７０ｎｍの範囲である赤色発光素子、ピーク発光が約５００〜約５７０ｎｍの範囲である第１の緑色発光素子、およびピーク発光が約４３０〜約４９０ｎｍの範囲である青色発光素子を含む組み合わせを含み、
単一の発光素子は１または複数の色を発する場合があり、
任意的に、琥珀色発光素子および青緑色発光素子の少なくとも一方をさらに含む請求項１１に記載のランプ。
【請求項１３】
前記赤色発光素子、前記第１の緑色発光素子、および前記青色発光素子に対するピーク発光はそれぞれ、半値幅が約１〜約１００ｎｍである請求項１２に記載のランプ。
【請求項１４】
前記組み合わせは、前記第１の緑色発光素子とは異なる第２の緑色発光素子であって、ピーク発光が約５３０〜約５６０ｎｍの範囲であり、半値幅が約１〜約２０ｎｍである第２の緑色発光素子をさらに含む請求項１２に記載のランプ。
【請求項１５】
前記赤色発光素子は、
Ｙ２Ｏ３：Ｅｕ；３．５ＭｇＯ＊０．５ＭｇＦ２＊ＧｅＯ２：Ｍｎ４＋；Ｇｄ（Ｚｎ，Ｍｇ）Ｂ５Ｏ１０：Ｃｅ，Ｍｎ；（Ｓｒ，Ｍｇ）３（ＰＯ４）２：Ｓｎ２＋；およびＹ（Ｖ，Ｐ）Ｏ４：Ｅｕからなる群から選択される蛍光体を含む請求項１２に記載のランプ。
【請求項１６】
前記第１の緑色発光素子は、
（Ｂａ，Ｓｒ，Ｃａ）ＭｇＡｌ１０Ｏ１７：Ｅｕ２＋，Ｍｎ２＋；ＬａＰＯ４：Ｃｅ，Ｔｂ；Ｚｎ２ＳｉＯ４：Ｍｎ；（Ｃｅ，Ｔｂ）ＭｇＡｌ１１Ｏ１９；（Ｃｅ，Ｔｂ）（Ｍｇ，Ｍｎ）Ａｌ１１Ｏ１９；（Ｃｅ，Ｌａ）（Ｍｇ，Ｍｎ）Ａｌ１１Ｏ１９；およびＳｒＡｌ１２Ｏ１９：Ｍｎ２＋からなる群から選択される蛍光体を含む請求項１２に記載のランプ。
【請求項１７】
前記青色発光素子は、
（Ｂａ，Ｓｒ，Ｃａ）ＭｇＡｌ１０Ｏ１７：Ｅｕ２＋；（Ｓｒ，Ｂａ，Ｃａ，Ｍｇ）５（ＰＯ４）３Ｃｌ：Ｅｕ２＋；およびＳｒ４Ａｌ１４Ｏ２５：Ｅｕ２＋からなる群から選択される蛍光体を含む請求項１２に記載のランプ。
【請求項１８】
前記ランプは、蛍光ランプである請求項１１に記載のランプ。
【請求項１９】
前記ランプは、光透過性エンベロープと前記エンベロープの内部に封止された充填ガスとを含む蛍光ランプであり、前記発光素子の少なくとも１つは蛍光体である請求項１８に記載のランプ。
【請求項２０】
前記ランプは作動時に、
ＣＱＳの少なくとも２つの色見本が、
ＶＳ１に対して−５〜０、
ＶＳ２に対して−２〜４、
ＶＳ３に対して−４．５〜２、
のパラメータ内にあり、
ＣＱＳの少なくとも１つの色見本が、
ＶＳ４に対して−２〜５、
ＶＳ５に対して−２〜１３、
のパラメータ内にあり、
ＣＱＳの少なくとも２つの色見本が、
ＶＳ６に対して１〜２０、
ＶＳ７に対して２〜２１、
ＶＳ８に対して２〜８、
のパラメータ内にあり、
ＣＱＳの少なくとも２つの色見本が、
ＶＳ９に対して−５．５〜５、
ＶＳ１０に対して−５〜３、
ＶＳ１１に対して−４〜１、
のパラメータ内にあり、
ＣＱＳの少なくとも１つの色見本が、
ＶＳ１２に対して−０．５〜４、
ＶＳ１３に対して１〜１０、
のパラメータ内にあり、
ＣＱＳの少なくとも１つの色見本が、
ＶＳ１４に対して−４〜４、
ＶＳ１５に対して−５〜３、
のパラメータ内にあるような彩度差値を有する合計発光を伴う光を発生させる請求項１１に記載のランプ。
【請求項２１】
作動時に約７５００ケルビン〜約２００００ケルビンの相関色温度を示す、色品質尺度が向上したランプであって、
作動時に光放射を行なう少なくとも１つの発光素子を含み、
前記ランプは作動時に、
ＣＱＳの少なくとも２つの色見本が、
ＶＳ１に対して−２〜２、
ＶＳ２に対して０〜５、
ＶＳ３に対して−５〜５．５、
のパラメータ内にあり、
ＣＱＳの少なくとも１つの色見本が、
ＶＳ４に対して−２．５〜４、
ＶＳ５に対して−３〜１５、
のパラメータ内にあり、
ＣＱＳの少なくとも２つの色見本が、
ＶＳ６に対して１〜２２、
ＶＳ７に対して０〜２３、
ＶＳ８に対して４〜１１、
のパラメータ内にあり、
ＣＱＳの少なくとも２つの色見本が、
ＶＳ９に対して−４．５〜６、
ＶＳ１０に対して−４〜５、
ＶＳ１１に対して−４〜１、
のパラメータ内にあり、
ＣＱＳの少なくとも１つの色見本が、
ＶＳ１２に対して−１．５〜６、
ＶＳ１３に対して１〜１３、
のパラメータ内にあり、
ＣＱＳの少なくとも１つの色見本が、
ＶＳ１４に対して−３〜７、
ＶＳ１５に対して−３〜８、
のパラメータ内にあるような彩度差値を有する合計発光を伴う光を発生させ、
前記彩度差値はＣＩＥＬＡＢ空間において測定され、ただしランプは白熱発光素子を含まず、
前記ランプは、ＯＬＥＤおよびＬＥＤのうちの１または複数によって選択的に補足された、低圧水銀蒸気放電ランプであり、
前記少なくとも１つの発光素子は、蛍光体である、ランプ。
【請求項２２】
２つ以上の発光素子の組み合わせであって、ピーク発光が約５９０〜約６７０ｎｍの範囲である赤色発光素子、ピーク発光が約５００〜約５７０ｎｍの範囲である第１の緑色発光素子、およびピーク発光が約４３０〜約４９０ｎｍの範囲である青色発光素子を含む組み合わせを含み、
単一の発光素子は１または複数の色を発する場合があり、
任意的に、琥珀色発光素子および青緑色発光素子の少なくとも一方をさらに含む請求項２１に記載のランプ。
【請求項２３】
前記赤色発光素子、前記第１の緑色発光素子、および前記青色発光素子に対するピーク発光はそれぞれ半値幅が約１〜約１００ｎｍである請求項２２に記載のランプ。
【請求項２４】
前記組み合わせは、前記第１の緑色発光素子とは異なる第２の緑色発光素子であって、ピーク発光が約５３０〜約５６０ｎｍの範囲であり、半値幅が約１〜約２０ｎｍである第２の緑色発光素子をさらに含む請求項２２に記載のランプ。
【請求項２５】
前記赤色発光素子は、
Ｙ２Ｏ３：Ｅｕ；３．５ＭｇＯ＊０．５ＭｇＦ２＊ＧｅＯ２：Ｍｎ４＋；Ｇｄ（Ｚｎ，Ｍｇ）Ｂ５Ｏ１０：Ｃｅ，Ｍｎ；（Ｓｒ，Ｍｇ）３（ＰＯ４）２：Ｓｎ２＋；およびＹ（Ｖ，Ｐ）Ｏ４：Ｅｕからなる群から選択される蛍光体を含む請求項２２に記載のランプ。
【請求項２６】
前記第１の緑色発光素子は、
（Ｂａ，Ｓｒ，Ｃａ）ＭｇＡｌ１０Ｏ１７：Ｅｕ２＋，Ｍｎ２＋；ＬａＰＯ４：Ｃｅ，Ｔｂ；Ｚｎ２ＳｉＯ４：Ｍｎ；（Ｃｅ，Ｔｂ）ＭｇＡｌ１１Ｏ１９；（Ｃｅ，Ｔｂ）（Ｍｇ，Ｍｎ）Ａｌ１１Ｏ１９；（Ｃｅ，Ｌａ）（Ｍｇ，Ｍｎ）Ａｌ１１Ｏ１９；およびＳｒＡｌ１２Ｏ１９：Ｍｎ２＋からなる群から選択される蛍光体を含む請求項２２に記載のランプ。
【請求項２７】
前記青色発光素子は、
（Ｂａ，Ｓｒ，Ｃａ）ＭｇＡｌ１０Ｏ１７：Ｅｕ２＋；（Ｓｒ，Ｂａ，Ｃａ，Ｍｇ）５（ＰＯ４）３Ｃｌ：Ｅｕ２＋；およびＳｒ４Ａｌ１４Ｏ２５：Ｅｕ２＋からなる群から選択される蛍光体を含む請求項２２に記載のランプ。
【請求項２８】
前記ランプは、蛍光ランプである請求項２１に記載のランプ。
【請求項２９】
前記ランプは、光透過性エンベロープと前記エンベロープの内部に封止された充填ガスとを含む蛍光ランプであり、前記発光素子の少なくとも１つは蛍光体である請求項２８に記載のランプ。
【請求項３０】
前記ランプは作動時に、
ＣＱＳの少なくとも２つの色見本が、
ＶＳ１に対して−２〜２、
ＶＳ２に対して０〜５、
ＶＳ３に対して−４〜４、
のパラメータ内にあり、
ＣＱＳの少なくとも１つの色見本が、
ＶＳ４に対して−１．５〜３、
ＶＳ５に対して−１〜１３、
のパラメータ内にあり、
ＣＱＳの少なくとも２つの色見本が、
ＶＳ６に対して１〜２０、
ＶＳ７に対して３〜２１、
ＶＳ８に対して４〜１１、
のパラメータ内にあり、
ＣＱＳの少なくとも２つの色見本が、
ＶＳ９に対して−３．５〜５、
ＶＳ１０に対して−３〜５、
ＶＳ１１に対して−４〜１、
のパラメータ内にあり、
ＣＱＳの少なくとも１つの色見本が、
ＶＳ１２に対して−１〜５、
ＶＳ１３に対して２〜１２、
のパラメータ内にあり、
ＣＱＳの少なくとも１つの色見本が、
ＶＳ１４に対して−３〜６、
ＶＳ１５に対して−３〜３、
のパラメータ内にあるような彩度差値を有する合計発光を伴う光を発生させる請求項２１に記載のランプ。